(57)【要約】【課題】同時録再機能を有するコンテンツ記録装置では、コンテンツの記録中に記録済コンテンツ情報を一覧表示し、再生操作を行う機能が必要である。また帯域の制限により同時録再可能なコンテンツが制限される場合は、どのコンテンツが再生可能かを利用者が判断する事は難しい。【解決手段】上記の課題を解決する為に記録中に記録済コンテンツ情報中の書誌事項を表示するものである。さらに、コンテンツがＳＤコンテンツであるかＨＤコンテンツであるかを識別するコンテンツ識別手段を有し、記録中のコンテンツがＳＤコンテンツの時には前記書誌事項中のＳＤコンテンツ情報のみの表示、または、表示する前記書誌事項には記録している全てのコンテンツの表示をして、ＳＤコンテンツのみをハイライト表示して、記録時に当該表示コンテンツが再生可能である事を明示する。【選択図】図２
2005051587.tif 000002
【特許請求の範囲】
【請求項１】
同時録再の機能を有し、記録中に記録済コンテンツ情報中の書誌事項を表示するコンテンツ記録再生装置。
【請求項２】
前記コンテンツ記録再生装置は、複数の異なるビットレートまたは帯域を有するコンテンツの録画再生に対応し、当該コンテンツのビットレートまたは帯域を識別するコンテンツ識別手段を有し、記録中のコンテンツのビットレートまたは帯域に基づき前記書誌事項中の再生可能なコンテンツ情報のみを表示することを特徴とする請求項１に記載のコンテンツ記録再生装置。
【請求項３】
前記コンテンツ記録再生装置は、ＳＤコンテンツとＨＤコンテンツの録画再生に対応し、当該コンテンツがＳＤコンテンツであるかＨＤコンテンツであるかを識別するコンテンツ識別手段を有し、記録中のコンテンツがＳＤコンテンツの時には前記書誌事項中のＳＤコンテンツ情報のみを表示することを特徴とする請求項１に記載のコンテンツ記録再生装置。
【請求項４】
前記コンテンツ記録再生装置は、複数の異なるビットレートまたは帯域を有するコンテンツの録画再生に対応し、当該コンテンツのビットレートまたは帯域を識別するコンテンツ識別手段を有し、記録中のコンテンツのビットレートまたは帯域に基づき表示する前記書誌事項として記録している全てのコンテンツを表示したうえで再生可能なコンテンツのみをハイライト表示することを特徴とする請求項１に記載のコンテンツ記録再生装置。
【請求項５】
前記コンテンツ記録再生装置は、ＳＤコンテンツとＨＤコンテンツの録画再生に対応し、当該コンテンツがＳＤコンテンツであるかＨＤコンテンツであるかを識別するコンテンツ識別手段を有し、記録中のコンテンツがＳＤコンテンツの時には表示する前記書誌事項として記録している全てのコンテンツを表示したうえでＳＤコンテンツのみをハイライト表示することを特徴とする請求項１に記載のコンテンツ記録再生装置。
【発明の詳細な説明】
【技術分野】
【０００１】
本発明は、同時録再（コンテンツを記録中にそれとは別の記録済コンテンツを再生）可能なコンテンツ記録再生装置に関するものである。特にグラフィカル・ユーザ・インターフェイス等を用いた再生時の利用者への情報提供に関するものである。
【背景技術】
【０００２】
現在、記録媒体にハードディスクやＤＶＤ等を用いて、テレビジョン放送や映画、さらにはその他ディジタル情報等のコンテンツを記録再生する装置が実用化されている。これらの記録媒体は大容量であり多くのコンテンツが同一記録媒体に記録されている。
【０００３】
そこで多くの記録済みのコンテンツから利用者が再生を望むものを選び出すために、例えば記録された映像コンテンツのタイトル情報をグラフィカル・ユーザ・インターフェイス（ＧＵＩ）を用いて画面に一覧表示し、任意のコンテンツを選択し、再生等を行うプログラムナビ機能が搭載されている再生装置がある（例えば特許文献１を参照）。
【特許文献１】登録実用新案第３０９０７８８号公報
【発明の開示】
【発明が解決しようとする課題】
【０００４】
しかしながら、従来の技術では同一記録媒体への記録時の再生を考慮していない。確かに帯域や記憶媒体へのアクセス時間等の制限があり、例えばＢｌｕ−Ｒａｙディスク（以下ＢＤと記す）への記録装置では、現在のところ帯域が不足しているという事で同時録再機能は搭載されていない。しかしながら将来帯域不足の問題が解消し、ＢＤでの同時録再が実現した時にはコンテンツの記録中に記録済コンテンツ情報を一覧表示し、再生操作が可能な機能が必要である。
【０００５】
また、帯域の異なるコンテンツとしてＳＤコンテンツ（標準解像度の映像コンテンツ）とＨＤコンテンツ（高精細解像度の映像コンテンツ）がある。例えばディジタル放送のコンテンツとして、ＳＤコンテンツは標準放送、ＨＤコンテンツはハイビジョン放送が対応する。現状においても、記録中コンテンツと再生コンテンツが共にＳＤコンテンツであれば帯域が不足する事はなく、同時録再は可能であり、その場合に記録中コンテンツの種類によって記録済コンテンツの内のどのコンテンツが再生可能かを利用者が判断する事は容易でない。
【課題を解決するための手段】
【０００６】
上記の課題を解決する為に本発明のコンテンツ記録再生装置は、同時録再の機能を有し、記録中に記録済コンテンツ情報中の書誌事項を表示するものである。
【０００７】
さらに本発明のコンテンツ記録再生装置は、ＳＤコンテンツとＨＤコンテンツの録画再生に対応し、当該コンテンツがＳＤコンテンツであるかＨＤコンテンツであるかを識別するコンテンツ識別手段を有し、記録中のコンテンツがＳＤコンテンツの時には前記書誌事項中のＳＤコンテンツ情報のみの表示、または、表示する前記書誌事項には記録している全てのコンテンツの表示をして、ＳＤコンテンツのみをハイライト表示して、記録時に当該表示コンテンツが再生可能である事を明示するものである。
【発明の効果】
【０００８】
以上の構成とすることで、記録中に記録済コンテンツ情報中の書誌事項を表示することで、記録中であっても再生可能な記録済みコンテンツを容易に選択して再生することが可能となる。
【０００９】
さらに、記録中コンテンツがＳＤコンテンツであれば、記録済ＳＤコンテンツのみを表示する、または全てのコンテンツを表示しＳＤコンテンツのみハイライト表示することで、利用者は記録中に、装置の対応できる帯域等を意識することなく、一覧表上で現在再生可能な記録済コンテンツを容易に確認でき、それを再生する事が可能となる。
【発明を実施するための最良の形態】
【００１０】
（実施の形態１）
以下、図面を参照しながら本発明の実施の形態を説明する。但し、以下は実施の形態の一例であり、表示方法やＧＵＩのデザイン等はこれに限定しない。
【００１１】
図１は本発明の同時録再に対応したコンテンツ記録再生装置の構成の概略を示すブロック図である。図１において、１０１は利用者とのインターフェースであるプログラムナビである。当該コンテンツ記録再生装置がコンテンツの記録中であっても、利用者はリモコン等でプログラムナビの表示を要求すると、その要求をディスク制御装置１０２が取得し、ディスク制御装置１０２はコンテンツならびにコンテンツ情報を記録するコンテンツ記録手段であるディスクデバイス１０３を制御しコンテンツ情報を取得する。さらに当該コンテンツ情報に所定の処理を加えプログラムナビ１０１の表示を行い利用者に示す。
【００１２】
次に、本発明のコンテンツ記録再生装置の構成ならびに動作の詳細を図２のブロック図と図３のフローチャートを用いて説明する。なお図２においては、本発明の動作を説明するにあたり、必要な部分のみを示すものである。また、本実施の形態では、ビットレートあるいは必要な帯域の小さいものとしてＳＤコンテンツ、大きいものとしてＨＤコンテンツを例に挙げ、記録と再生の対象がともにＳＤコンテンツである場合のみ同時録再可能となる場合を説明する。
【００１３】
コンテンツ記録手段２０６には記録されたコンテンツのデータを記録するとともに、図示しているように各コンテンツの書誌事項であるコンテンツ情報を所定のフォーマットでテーブル２０７として記録されている。ここで、コンテンツ記録手段としてはハードディスク、録画再生可能なＤＶＤ、ＢＤ等のディスク状記録媒体が利用できるが、記録再生すべきコンテンツの情報量が記録できるものであればどのような記録媒体であってもよい。
【００１４】
また書誌事項としては、例えばテレビジョン放送を記録再生する装置であれば、放送のチャンネル、番組名、記録時刻、記録時間等が相当する。なお、書誌事項としてはこれらに限定されることはなく、利用者が記録されているコンテンツを選択するにあたり、必要な項目を設定すればよい。また、このコンテンツ情報テーブル２０７には、必ずしも利用者に提供しないが機器の制御に必要な情報、例えば当該コンテンツのビットレート等も記録することができる。
【００１５】
機器制御部２０１は、プログラムナビ起動の要求の認識や機器内の各ブロックの制御、あるいは記録装置の状態の認識等を行うものである。コンテンツ識別手段２０２は記録中のコンテンツのビットレートあるいは必要とする帯域を識別して、そのコンテンツがＨＤコンテンツかＳＤコンテンツかの判断を行うものである。記録済コンテンツ情報取得部２０３は記録済コンテンツのコンテンツ情報テーブル２０７の情報を取得し、取得した全ての記録済コンテンツ情報の書誌事項をコンテンツ情報選択部２０４に伝える。コンテンツ情報選択部２０４はコンテンツ識別手段２０２からの判別情報や機器制御部からの指示に基づき、表示すべき書誌事項の選択や各表示情報のステータスを決定し、当該データをプログラムナビ表示部２０５に伝える。プログラムナビ表示部２０５は、表示すべき書誌事項をプログラムナビデータに変換し、モニターやテレビジョン受像機の画面に表示を行うものである。
【００１６】
次に、本発明の動作を図３のフローチャートを用いて説明する。
【００１７】
利用者がリモコン等のプログラムナビボタンを押すなどし、プログラムナビ起動が要求された時（Ｓ３０１）には、まず機器制御部２０１は現在の記録装置の状態を取得する（Ｓ３０２）。
【００１８】
この時記録装置が記録中（または記録一時停止中も含む）でなければ記録済コンテンツ情報取得部２０３にて記録済コンテンツ情報を取得し（Ｓ３０６）、コンテンツ情報選択部２０４は全ての記録済コンテンツ情報の書誌事項を一覧表示するようにし（Ｓ３０７）、プログラムナビ表示部２０５より全ての記録済コンテンツ情報の情報が表示されたプログラムナビが表示される（Ｓ３０８）。
【００１９】
記録装置の状態取得により記録中、または記録一時停止中と判断した場合はコンテンツ識別手段２０２にて記録中のコンテンツがＨＤコンテンツかＳＤコンテンツかの判断を行う（Ｓ３０３）。この識別において、放送より受信した記録しようとするコンテンツ中の情報より、コンテンツを構成する各符号化信号を記述したテーブル（ＰＭＴ）やコンテンツ情報を記述したテーブル（ＥＩＴ）からコンテンツの総ビットレートを計算し、ＨＤコンテンツ、ＳＤコンテンツどちらであるかを判断する。なお、当該判断はアナログ信号であれば必要帯域に基づいて行うこととなる。この結果記録中のコンテンツをＨＤコンテンツと判断した場合は、装置の有する処理可能ビットレートや帯域より同時録再は不可であるので、その旨エラーメッセージ（Ｓ３０４）を表示した上でプログラムナビを起動しない（Ｓ３０５）。
【００２０】
現在記録中であり、かつ記録中のコンテンツをＳＤコンテンツであれば、装置の有する処理可能ビットレートや帯域よりＳＤコンテンツであれば再生可能である。このように判断した場合は、記録済コンテンツ情報取得部２０３にて記録済コンテンツ情報を取得するし（Ｓ３０６）、記録済コンテンツの中でＳＤコンテンツは再生可能であるのでコンテンツ情報選択部２０４にて記録済コンテンツ情報よりビットレートを取得し、全ての記録済コンテンツに対して記録中コンテンツと同様にＨＤコンテンツかＳＤコンテンツかの判断を行う。上記情報をもとにＳＤコンテンツに関する記録済コンテンツ情報の書誌事項のみ選択し（Ｓ３０７）、プログラムナビ２０５より一覧表示する（Ｓ３０８）。
【００２１】
この場合に、全ての記録済コンテンツ情報の書誌事項をプログラムナビ表示部２０５より一覧表示し、更に記録済ＳＤコンテンツに対してはハイライト表示する等して再生可能である事を明示するようにしてもよい（Ｓ３０７、Ｓ３０８）。
【００２２】
ＳＤコンテンツのハイライト表示の一例を図４に示す。コンテンツ記録再生装置４０１がＳＤコンテンツを記録中の場合に、プログラムナビの表示を利用者が要求すると、モニター４０２には、図に一例として示すようなプログラムナビ画面４０３が表示される。ここでＳＤコンテンツの書誌事項４０４は他のコンテンツと区別して背景色を変更してハイライト表示されている。なお、ハイライト表示としては他のコンテンツと区別して認識できればよいので、図４のように色を変えるだけでなく、マーカーを付けることや文字の大きさを大きくするようにしてもよく、図で示す一例に限定されるものではない。
【００２３】
なお、本実施の形態では、ビットレートあるいは必要な帯域の小さいものとしてＳＤコンテンツ、大きいものとしてＨＤコンテンツを例に挙げ、記録と再生の対象がともにＳＤコンテンツである場合のみ同時録再可能として説明したが、装置全体の処理可能な帯域（またはビットレート）がさらに大きい場合には、例えばＨＤコンテンツを記録する場合にＳＤコンテンツのみが再生可能であれば、上記のようにプログラムナビにはＳＤコンテンツのみ、あるいはそれをハイライト表示するが、ビットレートや必要帯域の小さいＳＤコンテンツ記録している場合は、再生可能なコンテンツとしてＨＤコンテンツも含まれるのであれば、当該判断に基づいてＳＤコンテンツとＨＤコンテンツ全て、すなわち再生可能なコンテンツ全てを表示すればよい。また、記録や再生に対応するコンテンツが上記以外に種々存在する場合は、ビットレートや帯域に基づいて再生可能と判断したコンテンツのみ、あるいはそのコンテンツをハイライト表示すればよいことは言うまでもない。
【００２４】
また、以上の本発明の実施の形態で示した各手段や各部は必ずしもハード的に構成する必要はなく、ソフト的に上記で説明したような機能を満たすように動作してもよい。
【産業上の利用可能性】
【００２５】
本発明にかかるコンテンツ記録再生装置は、記録中に再生可能な記録済コンテンツ情報中の書誌事項を表示することで、記録中であっても再生可能な記録済みコンテンツを容易に選択して再生することが可能とするものであり、同時録再可能なコンテンツ記録再生装置等において有用である。
【図面の簡単な説明】
【００２６】
【図１】本発明の実施の形態の一例の概略を示すブロック図
【図２】本発明の実施の形態の一例を示すブロック図
【図３】本発明の実施の形態の一例の動作を説明するフローチャート
【図４】本発明における書誌事項の表示の一例を示す図
【符号の説明】
【００２７】
１０１    プログラムナビ表示部
１０２    ディスク制御装置
１０３    ディスクデバイス
２０１    機器制御部
２０２    コンテンツ識別手段
２０３    記録済コンテンツ情報取得部
２０４    コンテンツ情報選択部
２０５    プログラムナビ表示部
２０６    コンテンツ記録手段
２０７    コンテンツ情報テーブル
４０１    コンテンツ記録再生装置
４０２    モニター
４０３    プログラムナビ画面
４０４    ＳＤコンテンツの書誌事項
【図１】
2005051587.tif 000003
【図２】
2005051587.tif 000004
【図３】
2005051587.tif 000005
【図４】
2005051587.tif 000006